(57)【要約】      （修正有）【課題】等時性修正部を有する、微細加工可能材料から製造したひげぜんまいを提供する。【解決手段】複数の段１０を備える、微細加工可能材料から製造した計時器ひげぜんまい１であって、各段は、渦巻きぜんまいを形成し、互いに平行であり、全て、共通の軸コレット又は同じ天真に組み付けられ、各段は、段のそれぞれの外側端部３０に、ひげぜんまいスタッドへの独自の取付け手段４０を含み、独自の取付け手段は、他の段の取付け手段とは別個であり、取付け手段は、ひげぜんまいスタッドに対する位置調節手段５０を備え、位置調節手段も、他の段の位置調節手段とは別個であり、取付け手段及び位置調節手段は、ひげぜんまい１のための内蔵等時性修正手段を共に形成し、位置調節手段は、スタッド３を保持するようにそれぞれ構成した筐体を備える複数の個別の位置調節位置を含む。【選択図】図１
2016206179.tif 000002
【特許請求の範囲】
【請求項１】
複数の段（１０）を備える、微細加工可能材料から製造した計時器ひげぜんまい（１）であって、各前記段（１０）は、渦巻きぜんまいを形成し、全てが互いに平行であり、前記段（１０）のそれぞれの内側端部（２０）で共通の軸コレット又は同じ天真に互いに組み付けるように構成し、各前記段（１０）は、前記段（１０）のそれぞれの外側端部（３０）に、ひげぜんまいスタッドへの特定の取付け手段（４０）を含み、前記特定の取付け手段（４０）は、他の前記段の前記取付け手段（４０）とは別個であり、前記取付け手段（４０）は、ひげぜんまいスタッドに対する位置調節手段（５０）を備え、前記位置調節手段（５０）も、他の前記段の前記位置調節手段（５０）とは別個であり、前記取付け手段（４０）及び前記位置調節手段（５０）は、前記ひげぜんまい（１）のための内蔵等時性修正手段を共に形成する、計時器ひげぜんまい（１）であって、前記段（１０）の前記位置調節手段（５０）は、スタッド（３）を保持するようにそれぞれ構成した筐体（６）を備える複数の個別の位置調節位置（６０）を含むことを特徴とする、計時器ひげぜんまい（１）。
【請求項２】
前記取付け手段（４０）は、前記位置調節手段（５０）の位置に応じて変わる可変剛性のものであることを特徴とする、請求項１に記載の計時器ひげぜんまい（１）。
【請求項３】
前記段（１０）の前記位置調節手段（５０）は、前記個別の位置調節位置（６０）を画定する複数の弾性マルチアーム（７０）を含むことを特徴とする、請求項１に記載の計時器ひげぜんまい（１）。
【請求項４】
前記段（１０）の前記位置調節手段（５０）は、互いに異なる剛性である複数の弾性マルチアーム組立体（７０）を含むことを特徴とする、請求項３に記載の計時器ひげぜんまい（１）。
【請求項５】
前記段（１０）の前記位置調節手段（５０）は、互いに同じ剛性である複数の弾性マルチアーム組立体（７０）を含むことを特徴とする、請求項３に記載の計時器ひげぜんまい（１）。
【請求項６】
前記弾性マルチアーム組立体（７０）は、それぞれ、第１の内側領域上に少なくとも１つの内側取付け点、及び前記ひげぜんまい（１）の枢動軸から前記第１の領域よりも離れている第２の外側領域上に少なくとも１つの外側取付け点を含むことを特徴とする、請求項３に記載の計時器ひげぜんまい（１）。
【請求項７】
前記弾性マルチアーム組立体（７０）は、それぞれ、前記ひげぜんまい（１）の外側を向いたＵ字形筐体を含むことを特徴とする、請求項３に記載の計時器ひげぜんまい（１）。
【請求項８】
前記個別位置（６０）は、前記ひげぜんまい（１）の枢動軸に対して、４°から１２°の間にある一定のピッチで角度がずれることを特徴とする、請求項１に記載の計時器ひげぜんまい（１）。
【請求項９】
少なくとも２つの前記段（１０）は、反対方向に巻いたぜんまいを含むことを特徴とする、請求項１に記載の計時器ひげぜんまい（１）。
【請求項１０】
第１の方向に巻かれた全ての前記段（１０）の合計剛性は、前記第１の方向とは反対の第２の方向に巻かれた全ての前記段（１０）の合計剛性に等しいことを特徴とする、請求項９に記載の計時器ひげぜんまい（１）。
【請求項１１】
各前記段（１０）は、角度間欠送り手段を含み、前記角度間欠送り手段は、他の前記段（１０）内に備えた相補形の間欠送り手段と相補的に協働するように構成し、一定で、再現可能な形状で複合前記ひげぜんまい（１）を一緒に形成することを特徴とする、請求項１に記載の計時器ひげぜんまい（１）。
【請求項１２】
脱進機機構（２００）であって、請求項１から１１のうち一項に記載の少なくとも１つの前記ひげぜんまい（１）に結合したてんぷ（２）を備える少なくとも１つのぜんまい付きてんぷ組立体（１００）を含み、少なくとも１つの前記段（１０）の前記外側端部（３０）を所定位置に締結する少なくとも１つのスタッド（３）を備える脱進機機構（２００）。
【請求項１３】
少なくとも１つの同じ前記スタッド（３）は、異なる前記段（１０）のいくつかの前記外側端部（３０）の取付けを目的とすることを特徴とする、請求項１２に記載の脱進機機構（２００）。
【請求項１４】
脱進機機構（２００）は、前記ひげぜんまい（１）の軸に平行な１つの真直ぐな前記スタッド（３）を含むことを特徴とする、請求項１３に記載の脱進機機構（２００）。
【請求項１５】
少なくとも１つの前記スタッド（３）は、異なる熱伸び係数をもつ２つの材料（３Ｘ、３Ｙ）により２種の金属を付着させて製造し、前記ひげぜんまい（１）のコイルの方向に変形するように構成し、前記ひげぜんまい（１）のうち１つの端部は、前記スタッドによって保持することを特徴とする、請求項１２に記載の脱進機機構（２００）。
【請求項１６】
請求項１２に記載の少なくとも１つの脱進機機構（２００）を含む機械式計時器ムーブメント（３００）。
【請求項１７】
請求項１６に記載の少なくとも１つの機械式計時器ムーブメント（３００）を含む時計（４００）。
【発明の詳細な説明】
【技術分野】
【０００１】
本発明は、複数の段を備える、微細加工可能材料から製造した計時器ひげぜんまいに関し、それぞれの段は、渦巻きぜんまいを形成し、全てが互いに平行であり、それぞれの内側端部で共通の軸コレット又は同じ天真に互いに組み付けるように構成し、各前記段は、段のそれぞれの外側端部に、ひげぜんまいスタッドへの独自の取付け手段を含み、独自の取付け手段は、他の前記段の取付け手段とは別個であり、前記取付け手段は、ひげぜんまいスタッドに対する位置調節手段を備え、これら位置調節手段も、他の前記段の位置調節手段とは別個であり、前記取付け手段及び前記位置調節手段は、前記ひげぜんまいのための内蔵等時性修正手段を共に形成する。
【０００２】
本発明は、そのようなひげぜんまいを含む脱進機機構にも関する。
【０００３】
本発明は、少なくとも１つのひげぜんまいの外側端部をひげぜんまいスタッドに取り付けた、少なくとも１つのぜんまい付きてんぷ組立体を含む脱進機機構にも関する。
【０００４】
本発明は、少なくとも１つの脱進機機構を含む機械式計時器ムーブメントに関する。
【０００５】
本発明は、少なくとも１つの機械式計時器ムーブメントを備える時計に関する。
【０００６】
本発明は、微細加工可能材料から製造したひげぜんまい、及びより詳細には脱進機機構、を含む計時器機構の分野に関する。
【背景技術】
【０００７】
シリコン、シリコン酸化物、ＤＬＣ等の微細加工可能材料によるひげぜんまいの製作の新しい技術は、ＭＥＭＳ、ＤＲＩＥ、ＬＩＧＡ若しくは同様の方法により実装されるが、これらの技術は著しく進歩しており、このように製作したぜんまいは、
−形状的に、公称形状に非常に近く、従来技術の鉄鋼ぜんまいよりもかなりの整合性がある；
−塑性変形がないために、鉄鋼ぜんまいよりも安定した機械特性を有する；
−磁気がない；
−いくつかの段（特に二重ぜんまい）で製造できる及び／又は従来の鉄鋼ぜんまい技術と比較して末端湾曲部の精度を向上させて製造できる
といった重要な利点を有する。
【０００８】
しかし、微細加工可能材料から製造したこの種のぜんまいの場合、微調節が大幅に制限される。というのは、ぜんまいには、組み立てた後に使用できる、平均振動数及び等時性を調節する別個のシステムがないためである。
【０００９】
等時性勾配が有効長さの修正により変化した場合、対応するぜんまい付きてんぷ組立体の平均振動数も大きく変化するが、この場合、てんぷ車ねじの修正では、一般に、この誤差の補償には十分ではない。
【００１０】
しかし、従来の鉄鋼ひげぜんまいは、間欠送り組立体の使用、及びひげぜんまいの塑性変形が可能であることのために、組み立てた後でさえ、ひげぜんまいの平均振動数及び等時性勾配に関して別個に調節できる。
【００１１】
更に、製作システムは、極めて細心の注意を払った機械加工でさえ、約１００万分の１規模の誤差が残るため、公称形状に十分に近いぜんまい付きてんぷを作製できず、等時性性能の向上を保証することができない。
【００１２】
ＰＯＲＴＥＳＣＡＰ名義の特許文献１は、二重ひげぜんまいを有する調整デバイスを記載しており、２つのひげぜんまいは、相互に温度補償するように構成される。
【００１３】
ＥＲＮＥＳＴ  ＢＯＲＥＬ名義の特許文献２は、可動スタッドを有する間欠送り組立体を記載している。
【００１４】
ＮＩＶＡＲＯＸ名義の特許文献３は、特にシリコンから製造した、共通のコレットを有する一体式二重ひげぜんまいを記載している。
【００１５】
ＵＬＹＳＳＥ  ＮＡＲＤＩＮ名義の特許文献４は、ひげぜんまいを記載しており、このひげぜんまいの外側コイルは、横長開口を画定する２つの条片に分割され、この横長開口は、スタッド以外の調節部材を収容するためのものである。
【００１６】
ＭＨＶＪ名義の特許文献５は、特定のスタッド構成を有するトゥールビヨンを記載しており、このスタッド構成は、衝撃の際にひげぜんまいが横に変位するのを制限するように構成される。
【００１７】
ＭＯＮＴＲＥＳ  ＩＮＶＡＲ名義の特許文献６は、２つの段が別個の外側コイルを有するひげぜんまいを記載している。
【００１８】
ＮＩＶＡＲＯＸ名義の特許文献７は、位置を移動、調節可能なスタッドを有する脱進機機構を記載している。
【先行技術文献】
【特許文献】
【００１９】
【特許文献１】仏国特許２０２４５１１
【特許文献２】瑞国特許２５６２７４
【特許文献３】欧州特許２１０４００６
【特許文献４】欧州特許２２３３９８９
【特許文献５】瑞国特許７０４６７７
【特許文献６】瑞国特許４５１６０
【特許文献７】欧州特許２７８１９６７
【発明の概要】
【発明が解決しようとする課題】
【００２０】
したがって、本発明は、微細加工可能材料から製造したひげぜんまいの作製を提案するものであり、このひげぜんまいは、内蔵等時性調節手段を含む。
【課題を解決するための手段】
【００２１】
この目的で、本発明は、請求項１に記載のひげぜんまいに関する。
【００２２】
本発明は、請求項１２に記載の脱進機機構にも関する。
【００２３】
本発明は、少なくとも１つのそのような脱進機機構を含む機械式計時器ムーブメントにも関する。
【００２４】
本発明は、少なくとも１つのこの種の機械式計時器ムーブメントを含む時計にも関する。
【００２５】
本発明の他の特徴及び利点は、添付の図面を参照しながら以下の詳細な説明を読めば明らかになるであろう。
【図面の簡単な説明】
【００２６】
【図１】ひげぜんまいの軸に平行である単一の真直ぐなスタッドに対し第１の調節位置にある、本発明によるひげぜんまいの概略斜視図であり、ひげぜんまいは、ひげぜんまいの軸に平行である単一の真直ぐなスタッドと協働する２段のコイルを備え、各コイルの段は、その外側端部に、スタッド調節・取付け手段を含む。
【図２】同じ第１の位置にある、２つの段が延在する面に平行な図１のひげぜんまいの概略投影平面図である。
【図３】第２の調節位置にある、同じひげぜんまいの図１と同様の図である。
【図４】図３の第２の位置にある、同じひげぜんまいの図２と同様の図である。
【図５】２つの外側コイルを互いに関連付けて重ねた特定の調節位置にある、本発明によるひげぜんまいの概略斜視図であり、このひげぜんまいは、ひげぜんまいの軸に平行である単一の真直ぐなスタッドに取り付けた３段のコイルを含む。
【図６】同じ特定の調節位置にある、３つの段が延在する面に平行な図５のひげぜんまいの概略投影平面図である。
【図７】２段のコイルを含む本発明によるひげぜんまいの別の変形形態の概略斜視図であり、調節・取付け手段はマトリックス構造体を形成し、これにより、各コイルに対する広範な調節の可能性を与える。コイルは自由状態で図示する。
【図８】ひげぜんまいの軸に平行である単一の真直ぐなスタッドに対し特定の調節位置にある、２つの段が延在する面に平行な図７のひげぜんまいの概略投影平面図である。
【図９】各コイルが個別のスタッドと協働する位置にある、同じひげぜんまいの図８と同様の図である。
【図１０】同じ特定の位置にある、２つの段が延在する面に平行な図９のひげぜんまいの概略投影平面図である。
【図１１】図５の３段のひげぜんまいと協働する単一のスタッドに加えられる応力の仕組みの概略図である。
【図１２】計時器ムーブメントを備える時計を表すブロック図であり、計時器ムーブメントは、本発明によるひげぜんまいを備えるスタッド・ひげぜんまい組立体を含む。
【図１３】ひげぜんまいに対し一方のスタッド相対位置にある、環状スタッド取付け具の概略平面詳細図である。
【図１４】ひげぜんまいに対しもう一方のスタッド相対位置にある、環状スタッド取付け具の概略平面詳細図である。
【図１５】ひげぜんまいに対し一方のスタッド相対位置にある、スタッド取付け具の概略平面詳細図であり、スタッド取付け具は、ひげぜんまいの突起を形成するブロックの空洞内にある。
【図１６】ひげぜんまいに対しもう一方のスタッド相対位置にある、スタッド取付け具の概略平面詳細図であり、スタッド取付け具は、ひげぜんまいの突起を形成するブロックの空洞内にある。
【図１７】そのような空洞内に保持したスタッド・タブの一例の斜視図である。
【図１８】そのような空洞内に保持したスタッド・タブの一例の斜視図である。
【図１９】２つの異なる熱状態Ｔ１及びＴ２において振動子の温度補償を達成するように構成した２種材料スタッドの概略断面図及び概略側面図である。
【発明を実施するための形態】
【００２７】
本発明は、限定はしないがシリコン又はシリコン及びシリコン酸化物を含む微細加工可能材料から製造した、計時器のひげぜんまい１に関する。
【００２８】
このひげぜんまい１は、それぞれが渦巻きぜんまいを形成する複数の段１０を含む。段１０は、全て互いに平行であり、それぞれの内側端部２０で共通の軸コレット（図示せず）に互いに組み付けるか又は同じ天真に一緒に組み付けるように構成し、この軸コレットは、それぞれの内側端部２０Ａ、２０Ｂ、２０Ｃ等を取り付ける管、又は同様の要素から構成できる。
【００２９】
各段１０は、微細加工可能材料から製造する。
【００３０】
現況技術では、一定の実施形態にのみ適している特定の一変形形態では、ひげぜんまいの様々な段の外形は、自由状態で重なり、前記ひげぜんまい１は一体型である。
【００３１】
たいていの場合、特に図面に示す実施形態では、各段１０は、別個に製造し、最後のひげぜんまい１は、共通のコレット内へ組み付けるか又はてんぷ２上に直接組み付けることによって作製する。この場合、有利には、各段１０は、角度間欠送り手段を含み、この角度間欠送り手段は、他の段内に備えた相補形の角度間欠送り手段と相補的に協働するように構成し、一定で完全に再現可能な形状を有する複合ひげぜんまい１を一緒に形成するようにする。
【００３２】
本発明を、２つの段１０Ａ及び１０Ｂを有する単純な事例で図１から図４及び図７から図１０に示す。この特定の変形形態は、ほとんどの計時器適用例に適した十分な調節精度を提供する。当業者であれば、本発明をより多数の段に外挿する仕方は分かるであろう。
【００３３】
図５及び図６に示す１つの特定の適用例は、３つのひげぜんまいを含み、これらは、位置合せしない点、例えば互いから１２０°の点でコレットに取り付け、高さをずらす。
【００３４】
図１から図４及び図７から図１０に示す、２つの段を有する本発明の単純な変形形態では、各段１０、１０Ａ、１０Ｂは、それぞれの内側端部３０、ここでは３０Ａ、３０Ｂに、独自のスタッド取付け手段４０、ここでは、４０Ａ、４０Ｂを含み、これらのスタッド取付け手段４０は、前記他の段のスタッド取付け手段４０とは別個である。
【００３５】
図１から図３を煩雑にしないために、必要に応じて、スタッド３、又は底板若しくは受けへの取付け具は、詳細に図示しない。
【００３６】
本発明は、全ての重ねた段を協働させる単一のスタッド３を有する構成、及び１つの特定のスタッドが各段１０に対応する構成の両方に使用できる。図９及び図１０に示すのは、後者の変形形態である。例えば、受けと一体であるスタッド３Ａは、ひげぜんまい１の上側段１０Ａと協働し、例えば、底板と一体である別のスタッド３Ｂは、ひげぜんまい１の下側段１０Ｂと協働する。
【００３７】
これらの取付け手段４０、４０Ａ、４０Ｂは、スタッド位置調節手段５０、ここでは５０Ａ、５０Ｂを含み、これらの位置調節手段も、他の段の位置調節手段とは別個である。
【００３８】
したがって、各段を他の段とは別個に調節でき、他の段とは別個に取り付けることもできる。
【００３９】
好ましくは、所与の段１０のこれらの位置調節手段５０は、多くの係数点として形成する複数の個別の位置調節位置６０を含む。
【００４０】
図面に示す単純で非限定的なバージョンでは、これらの個別の位置は、単一のスタッド３を保持するようにそれぞれ配置したＵ字形又は同様の筐体６に対応する。微細加工可能材料でひげぜんまいを製造すると、より複雑な形状が可能になる。こうした形状とは、特に、時計調節者又は最適な調節位置を決定するロボットが選択した筐体にスタッドを挿入する際に、可撓性変形可能壁の間で締め具を形成するオメガ字形又は同様の形状の筐体を有するものであり、これらの壁は、挿入後スタッドを確実に保持するように構成したものである。
【００４１】
図１から図６に示す実施形態では、位置調節手段５０は、各段１０Ａ／Ｂ／Ｃに対し、関係するぜんまいの長さ部の片側のみにはしご構成で配設し、本質的には、関係する段の有用な長さ及び剛性の修正のために考案される。
【００４２】
図７から図１０に示すより複雑な実施形態では、調節手段は、各段に、区画６０１Ａから６０５Ａ又は６０１Ｂから６０５Ｂと共に一種の格子又は網状組織をなすマトリックス構造体内にスタッドを位置決めする可能性をもたらし、区画６０１Ａから６０５Ａ又は６０１Ｂから６０５Ｂは、関係するぜんまいの長さ部の両側に、２つの実質的に平行な列で配設する。したがって、長さ部及び径方向位置の両方に作用して取付け点を選択することが可能である。より多くのマトリックス段及び列を有するより複雑な実施形態は、微細加工可能材料の使用のために容易に作製でき、制限要因となるのは、スタッドのアクセスしやすさ及び位置決め器具へのアクセスのみである。
【００４３】
図８の例は、締め具のようにスタッド３を保持する段１０Ａの筐体６０４Ａ及び段１０Ｂの６０５Ｂと協働する単一のスタッド３を示す。図１０の例は、段１０Ａの筐体６０１が第１のスタッド３Ａと協働する一方で、段１０Ｂの筐体６０５Ｂが第２のスタッド３Ｂと協働することを示す。
【００４４】
同じ例では、取付け手段４０は、各区画に停止フックを含み、この停止フックは、Ｕ字又はＨ字形状で、主軸がぜんまいの長さ部に平行であり、関係する段１０の戻りトルクに逆らって、関係するスタッドを固定するように構成する。調節操作の後、続いて、例えば接着剤接合によって筐体６をスタッド３に接合することが可能である。特定の有利な変形形態では、Ｕ字又は同様の形状の外形は、Ｕ字部をスタッド３上にスナップ嵌めする突起を含み、これにより接着剤接合を行う必要がなくなる。
【００４５】
したがって、取付け手段４０及び位置調節手段５０は、ひげぜんまい１のための内蔵等時性修正手段を共に形成する。
【００４６】
したがって、図７から図１０は、取付け手段４０が位置調節手段５０の位置に応じて変わる可変剛性のものである特定の変形形態を示す。この変形形態では、所与の段１０の位置調節手段５０は、複数の弾性マルチアーム組立体７０を含み、こうした複数の弾性マルチアーム組立体７０も、上記した個別の位置調節位置６０を画定し、筐体６を支持する。
【００４７】
図７から図１０の特定の適用例では、弾性マルチアーム７０は、互いに異なる剛性のものである。弾性マルチアーム７０は、ここでは、ひげぜんまい１の作製方法により可能である、平行な可撓性アームにより示す。図面の特定の非限定的な事例では、弾性マルチアーム７０は、３つの条片７０１Ａ、７０４Ａ、７０１Ｂ、次に２つの条片７０２Ａ、７０２Ｂ、及び最後に１つの条片７０３Ａ、７０３Ｂにより、次第に減少する剛性の群又は次第に増加する剛性の群で構成する。各段１０の最も外側の区間の剛性は、最後の弾性マルチアームの剛性を選択することによって、任意に調節され、したがって、ひげぜんまい１全体の可変剛性の調節が可能であることを理解されたい。これらの弾性アームの剛性は、場合に応じて、図面の場合のように、関係する段の外側端部３０から減少するように選択できるか、又はその逆も同様に選択できるか、又は別の様式で選択できる。
【００４８】
いくつかの条片を有するこれらの弾性マルチアーム７０は、角度位置を変更した状態で、様々なひげぜんまいの剛性をより迅速に変更できる。
【００４９】
しかし、調節するのが、スタッドの相対位置及び所与の段の位置調節手段５０の相対位置のみである、図示しない単純な変形形態を選択することが可能である。したがって、所与の段１０の位置調節手段５０は、全てが同じ剛性である、複数の弾性マルチアーム組立体７０を含むことができる。
【００５０】
図７から図１０の変形形態では、弾性マルチアーム組立体７０は、それぞれ、第１の内側領域上に少なくとも１つの内側取付け点、及びひげぜんまい１の枢動軸から第１の領域よりも離れている第２の外側領域上に少なくとも１つの外側取付け点を含み、この第２の外側領域は、段に関係するスタッドに、高度に差異化した位置をもたらす。
【００５１】
好ましくは、個別位置６０は、ひげぜんまいの軸に対して、４°から１２°の間にある一定のピッチで角度がずれる。
【００５２】
図１から図６に示す例では、個別位置６０は、８°から１２°の間にある一定のピッチ、特に約１０°角度がずれる。
【００５３】
図７から図１０に示す例では、ひげぜんまい１の枢動軸に対して、個別位置６０は、４°から６°の間にある一定のピッチ、特に約５°角度がずれる。
【００５４】
特定の変形形態では、少なくとも２つの段１０のそれぞれの取付け手段４０は、互いの上に自由状態で重なる。
【００５５】
有利には、様々な段の調節差を可能にするため、したがって、ひげぜんまい１にもたらす剛性をより良好に調節するために、少なくとも２つの段１０は、互いに異なる剛性のぜんまいを含む。
【００５６】
より詳細には、少なくとも２つの段１０は、互いに異なる区分を有するぜんまいを含む。
【００５７】
同様に、特定の変形形態では、少なくとも２つの段１０は、互いに異なる有効長さを有するぜんまいを含む。
【００５８】
更に同様に、特定の変形形態では、少なくとも２つの段１０は、例えば一方は非酸化状態のシリコンであり、もう一方は酸化状態のシリコンである、互いに異なるシリコン酸化状態のぜんまいを含む。
【００５９】
特定の変形形態では、少なくとも２つの段１０は、反対方向に巻いたぜんまいを含む。このことは、全ての図面の場合に当てはまる。
【００６０】
好ましくは、第１の方向に巻かれた全ての段１０の合計の剛性は、第１の方向とは反対の第２の方向に巻かれた全ての段１０の合計の剛性に等しい。
【００６１】
本発明により、ひげぜんまい１を組み立てた後、ひげぜんまいを既にてんぷ及びムーブメント内部に組み付けた場合でさえ、有効な取付け位置を修正することが可能である。
【００６２】
図５及び図６は、３つの重ねたぜんまい段１０Ａ、１０Ｂ、１０Ｃを有する、有利な変形形態を示す。上記のように、それぞれは、内側端部２０Ａ、２０Ｂ、２０Ｃ及び外側端部３０Ａ、３０Ｂ、３０Ｃを含み、並びに位置調節手段を含む取付け手段を含むが、図面を煩雑にしないために、これには参照番号を付さない。これらの図では、位置調節手段は、ここではＵ字形外形であり長方形又は正方形スタッド３区分と協働するように構成した筐体６を含む。この例のスタッド区分及び外形形状は、非限定的なものである。この特定の変形形態では、スタッド３は、真直ぐであり、様々なぜんまい段の共通軸に平行である。このバージョンは、製造が非常に簡単であるため、非常に経済的である。
【００６３】
図５及び図６のこの非限定的な変形形態では、位置調節手段の筐体６、即ち６０１Ａ、６０２Ａ、６０３Ａ、６０１Ｂ、６０２Ｂ、６０３Ｂ、６０１Ｃ、６０２Ｃ、６０３Ｃの全ては、外側に開口を有する。図５は、筐体６０２Ａ、６０２Ｂ及び６０２Ｃが共通のスタッド３と協働する、特定の締結位置を示す。調節の変更は簡単である。というのは、各ひげぜんまいは、好都合に押圧でき、関係するスタッドの締結位置の変更を可能にするためである。最も重要なことは、この特定の構成により、他の段に対する調節とは別個に、複数段のうち１つの段に対する調節が、調節を実施するオペレータにとって極めて好都合に可能になることである。
【００６４】
図１１は、スタッドに返される合力がゼロである好ましい事例を示し、この事例では、ぜんまいは３つの段を有し、上側段１０Ａ及び下側段１０Ｂが、同一で同じ方向に巻かれ、それぞれが反対方向に巻かれた中間段１０Ｂの剛性の半分の剛性を有する。応力ＦＡ及びＦＣは、応力ＦＢの両側に、ぜんまいの端部に対し実質的に接線面内で、ぜんまいの共通軸に平行に反対方向で加えられ、この結果得られたトルクは最小であるか、ゼロでさえある。
【００６５】
本発明のこの構成は、一方のひげぜんまい段の剛性を減少することによって、それに応じてもう一方のひげぜんまい段の剛性を増加でき、その逆も同様である。また、２つの最も可撓性のぜんまいの剛性が最も硬いぜんまいの半分である特定の好ましい事例では、平均振動数は、ひげぜんまい段のスタッド３への全ての取付け構成に対し、依然として同じである。
【００６６】
したがって、本発明のこれらの異なる実装変形形態では、平均振動数の調節及び等時性勾配の調節を実現することが可能である。
【００６７】
特に、単一のスタッドへの取付け手段を重ねる場合、有効な取付けを修正する間、図示の変形形態の２つの段１０Ａ及び１０Ｂの剛性は、反対に変化する。即ち、一方の段のぜんまいの硬さはより増す一方で、もう一方の段のぜんまいの硬さは少なくなる。こうして２つのぜんまいの形状を画定、調節でき、その結果、得られた合計剛性、したがって本発明によるひげぜんまい１と共に形成したぜんまい付きてんぷの振動数は、等時性勾配の調節手順の間、ほぼ変化しない。そのような場合、てんぷねじの通常の調節により、ぜんまい付きてんぷ組立体の平均振動数を依然として設定できる。
【００６８】
逆に、取付け位置によって異なる等時性勾配の修正は、依然として重要であり、製造又は組立ての誤り、例えば接着剤接合の誤りを修正できる。
【００６９】
本発明は、ぜんまい付きてんぷ組立体１００にも関し、このぜんまい付きてんぷ組立体１００は、少なくとも１つのそのようなひげぜんまい１と結合したてんぷ２を備える。
【００７０】
本発明は、脱進機機構２００にも関し、脱進機機構２００は、少なくとも１つのそのようなぜんまい付きてんぷ組立体１００、及び少なくとも１つの前記段１０の外側端部３０を所定位置に締結する少なくとも１つのスタッド３を備える。
【００７１】
上記で説明したように、第１の変形形態では、少なくとも１つの同じスタッド３は、異なる段１０のいくつかの外側端部３０を締結するように構成する。その一方で、第２の変形形態では、脱進機機構２００は、各段１０の外側端部３０を所定位置に締結する個別のスタッド３を備える。
【００７２】
上記の説明は、ひげぜんまいの形状に関する。
【００７３】
また、特定の単一のスタッド又はスタッドの組合せの解決策は、単独で、又はこれらの特定のひげぜんまいと組み合わせて、等時性の調節に関する問題に対し独自の解決策をもたらすことができる。
【００７４】
実際には、複数のひげぜんまいを取り付ける外側位置、角度位置及び／又は径方向位置に作用することでも、等時性を制御できる。
【００７５】
特に、図９及び図１０に見られる、少なくとも２つの別個のスタッドを有する変形形態を考慮でき、少なくとも２つの別個のスタッドは、上記のひげぜんまいと共に又は従来のひげぜんまいと共に使用できる。当然ながら、スタッドの可動性は、関係する底板及び受けの製造を複雑にするが、標準的なひげぜんまいの使用の継続を希望する時計設計者にとっては理解の範囲内である。上記した多段ひげぜんまい１の特定の利点は、厚さ寸法の制御であり、この厚さ寸法を、動作及び動作安全性に必要な遊びに対応する精密な最小値まで低減可能であることに留意されたい。
【００７６】
したがって、特定の変形形態では、脱進機機構２００は、少なくとも１つのスタッド３を備え、少なくとも１つのスタッド３の位置は、少なくとも１つの段１０の外側端部３０を所定位置に締結するために、移動、調節可能である。
【００７７】
特定の変形形態では、脱進機機構２００は、少なくとも１つのスタッド３を備え、少なくとも１つのスタッド３の位置は、少なくとも１つの標準的なひげぜんまいの外側端部を所定位置に締結するために、移動、調節可能である。即ち、標準的なひげぜんまいとは、非特定構成ではコイルの巻線から延びる単一の外側コイル、及び他のコイルと同様若しくは同一の区分から延びる単一の外側コイルを備えるものである。当然ながら、標準的なひげぜんまいに適用可能なこの構成は、上記に示した多段ひげぜんまい１に適用可能である。
【００７８】
より詳細には、少なくとも１つのそのような位置調節可能スタッドは、脱進機機構２００内に構成した底板又は受け内の複数の個別位置のうち１つを占有可能であるように構成する。特定の一実施形態では、このスタッドは、一揃いの公知の位置穴をなす１つの筐体又はボアの内側に嵌合でき、これらは、機構ごとに再現可能である。
【００７９】
当然、そのようなスタッド構成は、一般に、いくつかの別個のスタッドに適用でき、特に、一変形形態では、存在するひげぜんまいと同数の別個のスタッドで適用できる。
【００８０】
スタッドとひげぜんまいとの間の様々で特別な取付け構成は、特に、微細加工可能材料から製造した一実施形態で可能であり、これにより、ワッシャ又は空洞突起等の形態の、上記で説明した多数のアームによる様々な取付けが可能になり、このことは、シリコンひげぜんまいに極めて有利な解決策である。ワッシャ等は、マスク内に直接組み込むことができる。
【００８１】
図１３及び図１４に示す第１の変形形態は、貫通孔４０９を有する取付け具４０１、４０２を備え、これにより、スタッド３への純粋に機械的な取付けが極めて容易になり、スタッドとひげぜんまいとの間の接着剤接合の必要性さえなくなる。より詳細には、これらの環状取付け具４０１、４０２は、互いに異なる剛性のものであってもよい接続撚線４０８、４０９の端部にある。
【００８２】
図１５から図１８に示す第２の変形形態では、ひげぜんまい１は、ブロック４０３、４０４の形態の突起４０５を有し、これらブロック４０３、４０４の中には、製造時に、非限定例では余分な厚さの酸化物をエッチングすることによって非貫通空洞４０６を作製する。シリコンぜんまい上の酸化物の厚さが通常５から１０マイクロメートルの間である場合、この変形形態では、より多大な影響をもつ厚さ、特に２０から３０マイクロメートルの間の厚さの酸化物を有するぜんまいを使用することが可能である。そのような場合、スタッド３が中に備えるタブ３Ｚ上に少なくとも１つの弾性薄片を備えることで、所望の突起４０５を留めることができる。一変形形態は、ぜんまいを所定位置に接着剤で留める場合は、接着剤留めの間、２つのそのような弾性薄片を使用してこのぜんまいを所定位置に維持するようにする。水平位置の振れの測定に関しては、そのような弾性薄片のみでぜんまいを保持することが可能であり、衝撃に対する良好な抵抗力をもたらすための接着剤留めは、全ての調節後にのみ行うことが可能である。当然、少なくとも１つの弾性薄片４０７は、スタッド３又はそのようなタブ３Ｚの保持のために、空洞内部に作製することもできる。
【００８３】
振動子の温度補償を達成するために、図１９に示す有利な変形形態は、２種材料の弾性スタッド３の使用にあり、各スタッドは、異なる相対厚さをもつ２つの材料３Ｘ及び３Ｙを有する。スタッドは、２種の金属を付着させて製造し、２つの成分材料の異なる熱伸び係数により、好ましくはコイルの方向に変形し、２つのひげぜんまいに張力の差を生じさせる。この解決策は、各ひげぜんまいの有効長さの調節を可能にし、正確な等時性勾配及び平均歩度を保証し、したがって、温度変動による剛性の変化が、てんぷの慣性の変化に常に従うことを保証する（その一方で、一般に、ひげぜんまいの有効長さ、したがって剛性の変化は、温度に対する剛性の依存性も変化させる）。
【００８４】
特定の一実施形態では、脱進機機構２００は、間欠送り組立体を有さない。
【００８５】
本発明は、少なくとも１つのこの種の脱進機機構２００を含む機械式計時器ムーブメント３００にも関する。
【００８６】
本発明は、少なくとも１つのそのような機械式計時器ムーブメント３００を含む時計４００にも関する。
【００８７】
要約すると、本発明は、鉄鋼ひげぜんまいで通常使用する間欠送りシステムに取って代わることによって、時計製造者が、シリコン派生物等、可塑変形可能ではない材料から製造したひげぜんまいの組合せの等時性を微細に調節することを可能にする。
【符号の説明】
【００８８】
１  ひげぜんまい
２  てんぷ
３  スタッド
６  筐体
１０  段
２０  内側端部
３０  外側端部
４０  取付け手段
５０  位置調節手段
６０  位置調節位置
７０  弾性マルチアーム
１００  ぜんまい付きてんぷ組立体
２００  脱進機機構
３００  計時器ムーブメント
４００  時計
【図１】
2016206179.tif 000003
【図２】
2016206179.tif 000004
【図３】
2016206179.tif 000005
【図４】
2016206179.tif 000006
【図５】
2016206179.tif 000007
【図６】
2016206179.tif 000008
【図７】
2016206179.tif 000009
【図８】
2016206179.tif 000010
【図９】
2016206179.tif 000011
【図１０】
2016206179.tif 000012
【図１１】
2016206179.tif 000013
【図１２】
2016206179.tif 000014
【図１３】
2016206179.tif 000015
【図１４】
2016206179.tif 000016
【図１５】
2016206179.tif 000017
【図１６】
2016206179.tif 000018
【図１７】
2016206179.tif 000019
【図１８】
2016206179.tif 000020
【図１９】
2016206179.tif 000021